(57)【要約】本発明における赤外線検知センサアレイは、基板と、基板を貫通する少なくとも１つの空孔と、基板の一方の面に設けられた第１赤外線検知素子と、基板の他方の面において空孔の少なくとも一部を覆うように設けられた第２赤外線検知素子とを備えることを特徴とする。
2012111851.tif 000002
【特許請求の範囲】
【請求項１】
基板と、
前記基板を貫通する少なくとも１つの空孔と、
前記基板の一方の面に設けられた第１赤外線検知素子と、
前記基板の他方の面において前記空孔の少なくとも一部を覆うように設けられた第２赤外線検知素子とを備えることを特徴とする赤外線検知センサアレイ。
【請求項２】
前記一方の面に設けられた前記第１赤外線検知素子と、他方の面に設けられた前記第２赤外線検知素子とは、少なくとも一部が前記基板を介して重なっている領域を有していることを特徴とする請求項１に記載の赤外線検知センサアレイ。
【請求項３】
前記他方の面において前記空孔を覆う前記第２赤外線検知素子は、前記空孔の面積より大きいことを特徴とする請求項１または２に記載の赤外線検知センサアレイ。
【請求項４】
前記第１赤外線検知素子と前記第２赤外線検知素子は、格子状に配列されていることを特徴とする請求項１乃至３に記載の赤外線検知センサアレイ。
【請求項５】
前記空孔は、前記基板の一方の面において、前記第１赤外線検知素子に覆われていない開口部を有していることを特徴とする請求項１乃至４に記載の赤外線検知センサアレイ。
【請求項６】
前記赤外線検知素子は、焦電体セラミックス膜と、電極とで構成され、
前記焦電体セラミックス膜は、表面の面積に応じた電荷を誘起することを特徴とする請求項１乃至３に記載の赤外線検知センサアレイ。
【請求項７】
前記基板の一方の面上に、赤外線フィルタと光学回折素子とを備え、
前記赤外線フィルタと、前記光学回折素子とは前記基板と対向して設けていることを特徴とする請求項１乃至４に記載の赤外線検知センサアレイ。
【請求項８】
前記焦電体セラミックス膜は、チタン酸ジルコン酸鉛系セラミックス、タンタル酸リチウム系セラミックス、またはポリフッ化ビニリデンのどれか１つで構成されることを特徴とする請求項１乃至７に記載の赤外線検知センサアレイ。
【請求項９】
請求項１乃至８に記載の赤外線検知センサアレイにより、人体の動きを検出することを行う人体検知用センサを備えた赤外線検知装置。
【発明の詳細な説明】
【技術分野】
【０００１】
本発明は、赤外線検知素子を用いた空間の赤外線分布変化を検知するセンサアレイおよび赤外線検知装置に関する。
【背景技術】
【０００２】
近年、情報通信技術の進展とネットワークインフラの拡充により、ビル空調の省エネルギー化や消費者行動の把握などに新たなセンサを利用する動きがある。また多数のセンサを利用するシステムを実現するために小型で製造コストの低い高感度なセンサデバイスが望まれている。
一般的に赤外線センサとしては、焦電効果を利用した焦電型赤外線センサ、材料の持つ抵抗の温度変化率を利用する抵抗変化型センサ、半導体ｐｎ接合の電気特性変化を利用するセンサ等が知られている。
特に、常温で動作可能な焦電型赤外線センサは、火災検知や人体検知に用いられるほかに、赤外線検知素子をアレイ状に配置することにより、赤外線空間分布を高い解像度で容易に画像化することができる。そのため焦電型赤外線センサは、暗所での安全確保や構造材料の探傷などに用いることができる。
特許文献１には、焦電型赤外線センサに光学回折レンズを設けた構造が記載されている。赤外線検知素子は基板に成膜プロセス、もしくは貼り付け等によりアレイ状に配置され、電気的接続を行う電極、配線を設けて密封形成している。そして密封されたパッケージは、検知対象に適した波長の赤外線のみ透過する光学フィルタと、広い視野角を確保するためにフレネルレンズなどの光学回折素子を設けている。
【先行技術文献】
【特許文献】
【０００３】
【特許文献１】特開２００７−２９２４６１
【発明の概要】
【発明が解決しようとする課題】
【０００４】
特許文献１に記載の焦電型赤外線センサは、小型化を行うために基板面積を減少させると、赤外線検知素子の実装面積も減少してしまう。赤外線検知センサの感度は、受光した赤外線による発熱の温度変化から発生する焦電電流と素子面積に比例する。そのため、小型化が行われ赤外線検知素子を実装する面積が小さくなると、素子ごとの感度が低くなり全体として感度は減少してしまうという問題があった。
本発明は、上記課題を解決する赤外線検知センサアレイおよび赤外線検知装置を提供することを目的とする。
【課題を解決するための手段】
【０００５】
本発明における赤外線検知センサアレイは、基板と、基板を貫通する少なくとも１つの空孔と、基板の一方の面に設けられた第１赤外線検知素子と、基板の他方の面において空孔の少なくとも一部を覆うように設けられた第２赤外線検知素子とを備えることを特徴とする。
【発明の効果】
【０００６】
本発明による赤外線検知センサアレイおよび赤外線検知装置は、感度を低下させることなく小型化を実現することができる。
【図面の簡単な説明】
【０００７】
図１は、第１の実施形態における赤外線検知センサアレイの斜視図である。
図２は、第１の実施形態における赤外線検知センサアレイの断面図である。
図３は、第１の実施形態における赤外線検知センサアレイの断面図である。
図４は、第２の実施形態における赤外線検知の断面図である。
図５Ａは、実施例におけるセンサ（１）の斜視図である。
図５Ｂは、実施例においてセンサ（１）が検知したモザイク状画像である。
図６Ａは、実施例におけるセンサ（２）の斜視図である。
図６Ｂは、実施例においてセンサ（２）が検知したモザイク状画像である。
図７は、実施例におけるセンサ（３）の斜視図である。
図８は、センサ（１）とセンサ（３）の電圧感度を示すグラフである。
【発明を実施するための形態】
【０００８】
以下に、本発明を実施するための好ましい形態について図面を用いて説明する。但し、以下に述べる実施形態には、本発明を実施するために技術的に好ましい限定がされているが、発明の範囲を以下に限定するものではない。
〔第１の実施形態〕次に、本実施形態について図面を参照して詳細に説明する。図１は、本実施形態における赤外線検知センサアレイ１の斜視図であり、図２は図１のＡ−Ａ′位置での切断図である。
〔構造の説明〕図１に示すように、本実施形態における赤外線検知センサアレイ１は、基板２と赤外線検知素子３とを備えている。
基板２は、平面形状であり２つの主面を有している。また基板２は、対向する２つの主面を貫通する空孔４を複数有している。空孔４の大きさは、電気配線が可能であれば良く、大きさによらない。
赤外線検知素子３は基板２の一方の面に格子状に配置され、基板２を貫通する空孔４を赤外線検知素子３の間に格子状に設けている。基板２上方から見ると赤外線検知素子３と空孔４が千鳥状に配置されている。図２に示すように、赤外線検知素子３は空孔４の端から一部はみ出して延在している。空孔４のそれ以外の部分は開口部５とする。
基板２の他方の面には、空孔４を塞ぐように赤外線検知素子３′を設けている。空孔４が格子状に配置しているので赤外線検知素子３′も格子状に配置されている。赤外線検知素子３′の面積は空孔４よりも大きくすることが望ましい。
空孔４は赤外線検知素子３，３′よりも小さくして、基板２の上方から見ると赤外線検知素子３，３′が、基板２を介して一部重なりあった領域Ｂが存在するように設けられている。なお赤外線検知素子３、３′は同じ寸法の矩形であり、同様の特性を持つものでもよい。
基板２の材料は、金属材料（アルミ合金、銅合金、鉄、鉄系合金、チタン、またはチタン合金など）や樹脂材料（エポキシ、アクリル、ポリイミド、ポリカーボネートなど）、セラミックス材料（アルミナ、シリカ、マグネシア、またはそれらの化合物、複合物など）などを所望の形状、使用環境にあわせて選択して用いることができる。
赤外線検知素子３は、基板２の両主面にそれぞれ複数設けられており、基板２と接合している。なお説明を分かりやすくするために、基板２の一方の面に設けられた赤外線検知素子を第１赤外線検知素子（以下、赤外線検知素子３）と示す。同様に、他方の面に設けられた赤外線検知素子を第２赤外線検知素子（以下、赤外線検知素子３′）と示す。
しかし赤外線検知素子３と赤外線検知素子３′とは、配置場所以外に違いはない。図１では、赤外線検知素子３、３′は矩形であり、基板２上に格子状で配置された構造を記載しているが、配置・形状は特に限定されない。なお図１では、基板２上に設けられた赤外線検知素子３と空孔４とが千鳥状に配置されているが、これに限定されない。少なくとも一部に、赤外線検知素子３，３′が、基板２を介して一部重なりあった領域Ｂを設けていればよい。
赤外線検知素子３（赤外線検知素子３′も含む）の構成を詳細に説明する。赤外線検知素子３は、２つの主面を有する焦電体セラミックス膜と、焦電体セラミックス膜の主面に形成した上下電極層で構成される。上下電極は、電気的接続が可能であればよく、実装または配線の引き出し、その材質、または形状を限定しない。なお赤外線検知素子３厚みは、例えば１μｍ以上１００μｍ以下であることが望ましい。
焦電体セラミックス膜は、赤外線が照射されると、赤外線照射量・波長に応じて表面の面積に比例して、焦電効果に起因する電荷が誘起される。そして誘起された電荷は、電気回路において電気信号として計測されることで赤外線の検知を行う。つまり、焦電体セラミックス膜において誘起される電荷が大きければ、センサとしての検知精度を高めるこができる。
焦電体セラミックス膜の材質は特に限定されず、チタン酸ジルコン酸鉛系セラミックスやタンタル酸リチウム系セラミックス、ポリフッ化ビニリデンなどの有機焦電体材料であってもよい。例えば焦電係数が高く、分極処理によって焦電効果を最大限引き出せるチタン酸ジルコン酸鉛系セラミック材料が望ましい。
基板２への焦電体セラミックス膜の形成方法は特に限定されない。例えばセラミックス微粒子を高速で吹き付けるエアロゾルデポジション法や溶液法（ゾルゲル法など）、気相法（ＭＯＣＶＤ法など）などにより基板２の材質や形状によって適宜選択して利用することができる。
他の焦電体セラミックス膜の基板２への形成方法として、テープキャスティング法などの方法で焦電体セラミックス膜を作製して、基板２に接着する方法も利用できる。接着材には例えばエポキシ系接着材を利用可能である。接着剤層の厚みは特に限定されるものではないが、過剰な厚みでは不要な電気抵抗成分の増大の原因となり、赤外線検知感度が低下するので、たとえば２０μｍ以下であることが望ましい。
〔作用・効果の説明〕次に、本実施形態における作用・効果について説明を行う。
赤外線検知センサアレイ１は、検知対象を基板２の一方の面側に配置されるように設ける。一方の面に設けられ赤外線検知素子３は、検知対象が発する赤外線を検知すると、焦電体セラミック膜において、赤外線照射量、波長に応じて面積に比例した電荷が誘起される。そして誘起された電荷は、電気回路において電気信号として計測することで、赤外線の検知を行う。
ここで基板２に空孔４を有していない、つまり基板２の一方の面、つまり片面のみに赤外線検知素子３を設けた場合を比較例として考える。このとき基板２の一方の面側から赤外線が照射されると、赤外線検知素子３は、赤外線照射量、波長に応じて面積に比例した電荷を誘起する。
赤外線検知素子３において誘起される電荷量は面積に依存するので、基板２全体にわたって赤外線検知素子３が設けられている場合、誘起される電荷は最大となる。しかし、基板２の面積を大きくすれば、誘起される電荷も大きくすることができるが、小型化の観点から、基板２を大幅に大きくすることはできない。
そこで本実施形態では、基板２に空孔４を有しており、一方の面において少なくとも１つの空孔４は、赤外線検知素子３に覆われておらず、開口部５を有している。そして他方の面において、開口部５を有する空孔４は、赤外線検知素子３′に覆われている。赤外線検知素子３と赤外線検知素子３′は、基板２を介して重なり合った領域Ｂを設けている。
そして図３に示すように、一方の面に検知対象を設けると、開口部５に照射された赤外線は、空孔４を通り、赤外線検知素子３′に照射される。なお赤外線検知素子３′も同様に、赤外線照射量、波長に応じて面積に比例した電荷を誘起する。
赤外線検知素子３′が誘起する電荷量は面積に依存するが、その面積は赤外線が照射する面積ではなく、赤外検知素子３′の全体の面積に依存する。つまり空孔４を介して、赤外線検知素子３′の一部にのみ赤外線が照射されたとしても、誘起される電荷は赤外線検知素子３′の全体の面積で決まる。
図２の矢印Ｂで示すように、基板２の一方の面に設けられた赤外線検知素子３と、他方の面において空孔４を覆うように設けられた赤外線検知素子３′とは、少なくとも一部が、重なりあった領域Ｂ、つまり対向した領域を備えている。
ここで図３に示すように、基板２の一方の面から赤外線が照射されると、赤外線検知素子３、３′とでそれぞれで電荷が誘起される。そして、赤外線検知素子３と赤外線検知素子３′とは、重なり合った領域を有している。そのため、赤外線が直接照射される面積、つまり基板２上に複数配置した赤外線検知素子３の合計面積と開口部５の合計面積よりも、重なり合った領域Ｂの合計面積分だけ、誘起される電荷量が増加する。
つまり本実施形態における赤外線検知センサアレイ１は、一方の面側にのみ赤外線検知素子３を設けた場合の実装面積に比べ、重なり合った面積の大きさ分、誘起される電荷量が多くなることで、感度を向上することができる。
換言すると、赤外線検知素子３と赤外線検知素子３′とが、重なり合った領域を増加させることで、基板２上に実装する赤外線検知素子３の面積を増加させることなく、小型化かつ高密度に実装した赤外線検知センサアレイ１を実現することができる。
なお本実施形態では、格子状に配置した赤外線検知素子３の間すべてに空孔４と赤外線検知素子３′を配置したが、最低限は空孔４と赤外線検知素子３′を１つずつ設けていればよい。
また本実施形態では、赤外線検知素子３′は空孔４を塞ぐように配置したが、重なりあった領域８を確保できれば空孔４は一部開口していてもよい。また本実施形態では基板２，赤外線検知素子３，３’はいずれも矩形であるが、円形、楕円形でもよい。さらに赤外線検知素子３は平面形状に限らず曲面でもよい。
〔第２の実施形態〕次に、第２の実施形態について図４を参照して詳細に説明する。図４は、本実施形態における赤外線検知センサアレイ１の断面図である。
〔構造の説明〕図４に示すように、本実施形態における赤外線検知センサアレイ１は、赤外線フィルタ６と光学回折素子７とを備えている。それ以外の構造、接続関係は、第１の実施形態と同様であり、基板２、赤外線検知素子３、空孔４、開口部５を備えている。
赤外線フィルタ６と光学回折素子７とは、基板２の一方の面上に設けられている。そして赤外線フィルタ６と光学回折素子７は、それぞれ基板２と対向している。なお赤外線フィルタ６、および光学回折素子７は、基板２上に設けられた赤外線検知素子３の少なくとも一部を覆うように設けられている。
赤外線フィルタ６は、赤外線つまり波長が７８０ｎｍ以上の光のみを透過させ、可視光線をシャットアウトする機能をもつ。また光学回折素子７は、透過光を集光する機能を持つ。
〔作用・効果の説明〕次に、本実施形態における作用・効果について説明する。
赤外線検知素子３は、赤外線を検知すると、放射量・波長に応じて面積に比例した電荷を誘起する。本実施形態では、基板２の一方の面上、つまり赤外線検知素子３が設けられている面上に、赤外線フィルタ６を設けている。上記構成により、赤外線以外の可視光をシャットダウンすることができるため、検知対象が発する赤外線を効率よく検知することができる。
また本実施形態は、赤外線フィルタ６上、つまり赤外線フィルタ６の基板２が設けられている側とは反対側に光学回折素子７を設けている。光学回折素子７は、透過光を集光する機能を有しているため、赤外線検知素子３は広い視野角で検知対象の赤外線を検知することができる。
〔実施例〕次に、実施例について図面を参照して詳細に説明する。
本実施例における赤外線検知センサアレイ１の特性評価を、以下に詳細を記載した３種類のセンサ（１）〜（３）を用いて行った。以下にセンサ（１）〜（３）について、詳細に説明する。
図５Ａに示すようにセンサ（１）は、第１の実施形態と同様に、空孔４を有する基板２の表面（一方の面）に、赤外線検知素子３を配列した構造である。そして少なくとも１つの空孔４上に設けられた赤外線検知素子３は開口部５を有しており、つまり少なくとも１つの空孔４は表面において赤外線検知素子３に覆われていない。
上記開口部５を有する空孔４は、裏面（他方の面）において、赤外線検知素子３′に覆われており、表面と裏面に設けられた赤外線検知素子３は、互いに少なくとも一部が重なる領域を備えている。
図６Ａは比較例のセンサ（２）を示す。このセンサ（２）は、空孔４のない基板２を備えており、表面（一方の面）のみに赤外線検知素子３を設けた構造である。なおセンサ（２）の基板２表面に複数配置した赤外線検知素子３の合計面積は、センサ（１）と同じである。
センサ（１）と比較すると、センサ（２）は、基板２表面において赤外線検知素子３を同じ配列で設けている。しかしセンサ（１）は、空孔４がある箇所においては、裏面側に赤外線検知素子３′を設けている。そのため、センサ（２）が基板２表面の空孔４に赤外線検知素子３を設けたとしても、センサ（１）は表面に設けられた赤外線検知素子３と３′が重なる領域の面積の大きさだけ、赤外線検知素子３の面積をセンサ（２）より大きくすることができる。
図７は図６とは別の比較例のセンサ（３）を示す。このセンサ（３）は、空孔４のない基板２を備えており、表面（一方の面）のみに赤外線検知素子７３を設けた構造である。なおセンサ（３）は、センサ（１）と同じ実装面積である基板の表面に、センサ（１）の基板２両面に設けられた同じ数の赤外線検知素子７３を設けている。
センサ（１）と比較すると、センサ（３）は、基板２の表面の同じ実装領域に、センサ（１）で基板２の一方の面に設けた１５個の赤外線検知素子３の数と、基板２の他方の面に設けた８個の赤外線検知素子３′の数を合計した数の２３個の赤外線検知素子７３を実装している。そのためそれぞれの赤外線検知素子７３の面積は、センサ（１）を構成する赤外線検知素子３に比べて小さい。
なお、センサ（１）〜（３）は、実装面積が同じ基板２を用い、基板２についても同一のものを用い、赤外線検知素子３は同じ特性のものを用いた。また使用する電源についても、同じ電力を供給し、同一の使用環境下において動作を行った。
なお赤外線検知素子３は、１辺５ｍｍの正方形状、厚み１５μｍの焦電体セラミックス膜の上下面に厚み５μｍの電極層を形成したものを用いた。また基板２は、辺の長さがそれぞれ４５ｍｍ、３０ｍｍの長方形状、厚み＝１００μｍ（０．０５ｍｍ）のＭｇＯ基板を用いた。また空孔４のある基板においては直径３ｍｍの空孔４を設けた。
赤外線検知素子３の焦電体セラミックス膜は、チタン酸ジルコン酸鉛系セラミックを用い、電極層には銀／パラジウム合金（重量比７０％：３０％）を使用した。また裏面の素子と基板との間には熱伝導性の低い材料を挿入した。
〔比較１〕まず比較１として、センサ（１）とセンサ（２）の比較を行った、
図５Ａはセンサ（１）の斜視図、図５Ｂはセンサ（１）の赤外線検知素子３が検知した電気信号をモザイク状画像に示したものである。また図６Ａはセンサ（２）の斜視図と、図６Ｂはセンサ（２）の赤外線検知素子３が検知した電気信号をモザイク状画像に示したものである。
センサ（１）とセンサ（２）とは、赤外線検知素子３を同じように配列しているが、センサ（１）は空孔４がある箇所において、基板２の裏面に赤外線検知素子３′を設けている。そして裏面に設けられた赤外線検知素子３′の少なくとも一部は、表面に設けられた赤外線検知素子３と重なる領域を有している。
赤外線検知素子３が誘起する電荷量は、面積の大きさに依存する。そのためセンサ（１）は、センサ（２）に比べて、基板２の両面に設けられた赤外線検知素子３と赤外線検知素子３′とが重なる領域の面積の大きさの分、誘起する電荷量を増やすことができる。その結果、センサ（１）はよりきめ細かい画像を表示することができる。
〔比較２〕次に比較２として、センサ（１）とセンサ（３）の比較を行った、
図８はセンサ（１）、およびセンサ（３）の赤外線検知素子３が検知した電圧感度である。より詳細に説明すると、Ａはセンサ（１）の基板２表面に設けられた赤外線検知素子３、Ｂはセンサ（１）の基板２裏面に設けられた赤外線検知素子３′、Ｃはセンサ（３）の基板２表面に設けられた赤外線検知素子７３がそれぞれ検知した電圧感度を示す。
センサ（１）とセンサ（３）は、基板２上に設けている赤外線検知素子３の数は同じである。しかしセンサ（３）は、センサ（１）の表と裏の両面に設けられた同じ数の赤外線素子３を基板２表面に設けている。そのため、それぞれの赤外線検知素子３の大きさがセンサ（１）に比べて小さい。
図８に示すように、基板２表面の赤外線検知素子３が検知した電圧感度Ａは、センサ（３）にくらべ実装した数は少ないが、一素子あたりの感度面積を大きくすることができるため、より高い電圧感度を実現することができる。
また基板２裏面の赤外線検知素子３が検知した電圧感度Ｂは、赤外線を受光する面積は少ない。しかし、受光部分からの素子熱伝導により、基板２裏面に設けられた赤外線検知素子３′全体で電荷を誘起することができるため、高い電圧感度を実現することができる。
一方、基板２表面に設けられたセンサ（３）は、センサ（１）の表面と裏面に設けられた赤外線検知素子３を基板２表面に設けているため、多くの赤外線検知素子３を設けることができる。しかし各赤外線検知素子３の面積を小さくする必要がある。その結果、電圧感度Ｃは、誘起する電荷量が少なく、高い電圧感度を実現することができない。
上記比較の結果、第１の実施形態の赤外線検知センサアレイ１は、電圧感度ＡとＢとを得ることができるので、より高感度な検出を実現することができる。
ところで、本実施形態の赤外線検知センサアレイ１を、人体の移動を検知する人体検知センサとして利用した場合、プライバシーに配慮した人体検知用センサが実現することができる。図５Ｂに示すように、配置した赤外線検知素子３からは、適切な信号増幅回路、信号処理回路の利用によってモザイク状の画像を取り出すことができる。
人体の動きに応じて各赤外線検知素子３の赤外線受光量は変動する。このアレイ状に配置された赤外線検知素子３は、時間変動データを分析することで人体の移動を検知でき、さらに、モザイク状データでは個人の特定が不可能であるため、プライバシーに配慮した人体検知用センサを備えた赤外線検知装置を実現できる。
以上、本発明を上記実施の形態及び実施例に即して説明したが、本発明は、上記実施の形態、及び実施例の構成のみに限定されるものでなく、本発明の範囲内で当業者であればなし得るであろう各種変形、修正を含むことはもちろんである。
なお、この出願は、２０１１年２月１８日に出願された日本出願特願２０１１−０３３２５６を基礎とする優先権を主張し、その開示の全てをここに取り込む。
【符号の説明】
【０００９】
１  第１導体
１  赤外線検知センサアレイ
２  基板
３  赤外線検知素子
４  空孔
５  開口部
６  赤外線フィルタ
７  光学回折素子
７３  赤外線検知素子
【図１】
2012111851.tif 000003
【図２】
2012111851.tif 000004
【図３】
2012111851.tif 000005
【図４】
2012111851.tif 000006
【図５Ａ】
2012111851.tif 000007
【図５Ｂ】
2012111851.tif 000008
【図６Ａ】
2012111851.tif 000009
【図６Ｂ】
2012111851.tif 000010
【図７】
2012111851.tif 000011
【図８】
2012111851.tif 000012
【手続補正書】
【提出日】平成25年8月16日(2013.8.16)
【手続補正１】
【補正対象書類名】特許請求の範囲
【補正対象項目名】全文
【補正方法】変更
【補正の内容】
【特許請求の範囲】
【請求項１】
基板と、
前記基板を貫通する少なくとも１つの空孔と、
前記基板の一方の面に設けられた第１赤外線検知素子と、
前記基板の他方の面において前記空孔の少なくとも一部を覆うように設けられた第２赤外線検知素子とを備え、
前記空孔は、前記基板の一方の面において、前記第１赤外線検知素子に覆われていない開口部を有していることを特徴とする赤外線検知センサアレイ。
【請求項２】
前記一方の面に設けられた前記第１赤外線検知素子と、他方の面に設けられた前記第２赤外線検知素子とは、少なくとも一部が前記基板を介して重なっている領域を有していることを特徴とする請求項1に記載の赤外線検知センサアレイ。
【請求項３】
前記他方の面において前記空孔を覆う前記第２赤外線検知素子は、前記空孔の面積より大きいことを特徴とする請求項１または２に記載の赤外線検知センサアレイ。
【請求項４】
前記第１赤外線検知素子と前記第２赤外線検知素子は、格子状に配列されていることを特徴とする請求項１乃至３に記載の赤外線検知センサアレイ。
【請求項５】
前記赤外線検知素子は、焦電体セラミックス膜と、電極とで構成され、
前記焦電体セラミックス膜は、表面の面積に応じた電荷を誘起することを特徴とする請求項１乃至３に記載の赤外線検知センサアレイ。
【請求項６】
前記基板の一方の面上に、赤外線フィルタと光学回折素子とを備え、
前記赤外線フィルタと、前記光学回折素子とは前記基板と対向して設けていることを特徴とする請求項１乃至４に記載の赤外線検知センサアレイ。
【請求項７】
前記焦電体セラミックス膜は、チタン酸ジルコン酸鉛系セラミックス、タンタル酸リチウム系セラミックス、またはポリフッ化ビニリデンのどれか１つで構成されることを特徴とする請求項１乃至６に記載の赤外線検知センサアレイ。
【請求項８】
請求項１乃至７に記載の赤外線検知センサアレイにより、人体の動きを検出することを行う人体検知用センサを備えた赤外線検知装置。
【国際調査報告】
2012111851.tif 000013
2012111851.tif 000014
2012111851.tif 000015
2012111851.tif 000016
2012111851.tif 000017
2012111851.tif 000018
2012111851.tif 000019
2012111851.tif 000020